(57)【要約】【課題】顧客のニーズに応じた満足度の高い画像を提供することができる画像記録装置を提供する。【解決手段】テーマパークにおいて顧客１０が搭乗したジェットコースター１２は撮影装置１４により自動撮影され、大型ディスプレイ１６に撮影番号と共に表示される。顧客１０は大型ディスプレイ１６に表示された撮影画像１８の中の自身の撮影画像を確認し、販売ブース２０で撮影番号を告げる。販売ブース２０にはプリント装置２２が設置されており、店員２４は指定された撮影番号の撮影画像をモニタ２６に表示させ、顧客１０にプリントしたい人物を指定してもらう。プリントしたい人物が指定されると、プリント装置２２は、その人物の画像を撮影画像から抽出し、その人数に応じたテンプレート画像を予め記憶された複数のテンプレート画像から自動的に選択し、これらを合成したプリント２８を出力する。【選択図】      図１
2004228637.tif 000002
【特許請求の範囲】
【請求項１】
撮影画像を入力する入力手段と、
前記撮影画像を表示する表示手段と、
複数の異なるサイズのテンプレート画像を記憶した記憶手段と、
前記表示手段に表示された前記撮影画像から抽出対象領域を指定する指定手段と、
前記撮影画像から前記抽出対象領域の画像を抽出する抽出手段と、
前記抽出対象領域の画像に基づいて、前記抽出対象領域の画像と合成すべきテンプレート画像を選択する選択手段と、
前記抽出対象領域の画像と前記選択手段により選択されたテンプレート画像との合成画像を生成する生成手段と、
前記合成画像を記録媒体に記録する記録手段と、を備えた画像記録装置。
【請求項２】
前記撮影画像は、少なくとも１人の人物が撮影された画像であると共に前記抽出対象領域は前記人物が撮影された領域であり、前記選択手段は、前記人物の人数に基づいて前記テンプレート画像を選択することを特徴とする請求項１記載の画像記録装置。
【請求項３】
前記撮影画像は、テーマパークにおいて人物が搭乗した状態を撮影した画像であることを特徴とする請求項１又は請求項２記載の画像記録装置。
【発明の詳細な説明】
【０００１】
【発明の属する技術分野】
本発明は、画像記録装置に係り、より詳しくは、テーマパークの乗り物アトラクションにおいて人物が搭乗した状態を撮影した撮影画像を記録媒体に記録する画像記録装置に関する。
【０００２】
【従来の技術】
従来、遊園地などのテーマパークにおいて、ジェットコースター等の乗り物に搭乗中の顧客を自動撮影し、これをプリントして販売するプリントサービスがある。
【０００３】
このプリントサービスでは、乗り物の移動経路の途中等に予め設置されたカメラにより、カメラの設置位置に移動してきた乗り物に搭乗中の顧客を自動撮影する。そして、アトラクション終了後、自動撮影した画像を出口付近等に設置されたディスプレイに表示する。これを顧客が確認してプリントを購入するか否かを判断し、購入する場合には、販売ブースにおいて、自分が撮影された撮影画像を指定してプリントを依頼する。
【０００４】
しかしながら、従来のプリントサービスでは、乗り物全体を撮影した画一的な画像しかプリントされなかった。このため、顧客は他人等の本来必要とされない部分までプリントされたものしか得ることができず、満足度の高いサービスとは言えなかった。
【０００５】
ところで、指定されたプリントサイズに応じて撮影画像を拡大又は縮小してプリントする技術（例えば特許文献１参照）が知られている。
【０００６】
【特許文献１】
特開２００１−２３５８０１号公報
【０００７】
【発明が解決しようとする課題】
しかしながら、上記特許文献１に記載された技術は、指定されたプリントサイズに応じて撮影画像全体を拡大又は縮小してプリントするだけであり、これを上記のようなテーマパークにおけるプリントサービスに適用しても満足度の高い画像を得ることはできない。
【０００８】
本発明は、上記事実に鑑みて成されたものであり、顧客のニーズに応じた満足度の高い画像を提供することができる画像記録装置を提供することを目的とする。
【０００９】
【課題を解決するための手段】
上記目的を達成するために、請求項１記載の発明は、撮影画像を入力する入力手段と、前記撮影画像を表示する表示手段と、複数の異なるサイズのテンプレート画像を記憶した記憶手段と、前記表示手段に表示された前記撮影画像から抽出対象領域を指定する指定手段と、前記撮影画像から前記抽出対象領域の画像を抽出する抽出手段と、前記抽出対象領域の画像に基づいて、前記抽出対象領域の画像と合成すべきテンプレート画像を選択する選択手段と、前記抽出対象領域の画像と前記選択手段により選択されたテンプレート画像との合成画像を生成する生成手段と、前記合成画像を記録媒体に記録する記録手段と、を備えたことを特徴とする。
【００１０】
この発明によれば、入力手段により入力された撮影画像は表示手段に表示される。
【００１１】
記憶手段は、複数のサイズの異なるテンプレート画像を記憶する。この複数のテンプレート画像には、例えば共通のキャラクターの画像が各々含まれる。キャラクターの画像は、テンプレート画像毎にその態様が異なっていてもよい。また、複数のテンプレート画像は、サイズだけでなく、アスペクト比が異なっていてもよい。
【００１２】
指定手段は、表示手段に表示された撮影画像から所望の抽出対象領域を指定するためのものである。指定手段によって指定された抽出対象領域の画像は、抽出手段によって抽出される。
【００１３】
指定手段による抽出対象領域の指定は、例えば抽出対象領域そのものの輪郭を指定することができる。この場合、抽出手段は、撮影画像から指定された輪郭に従って抽出対象領域の画像を抽出すればよい。
【００１４】
選択手段は、抽出手段により抽出された抽出対象領域の画像に基づいて、抽出対象領域の画像と合成すべきテンプレート画像を選択する。すなわち、例えば抽出対象領域の画像のサイズやアスペクト比に応じたテンプレート画像を選択する。
【００１５】
生成手段は、抽出対象領域の画像と選択手段により選択されたテンプレート画像との合成画像を生成する。記録手段は、合成画像を記録媒体、例えば印画紙に記録する。印画紙に合成画像を記録する場合、記録手段は、印画紙に合成画像を焼き付け露光し、現像処理等を施す。これにより合成画像が印画紙上に形成される。また、メモリカード等の記録媒体に合成画像を記録するようにしてもよい。
【００１６】
このように、撮影画像から所望の画像が抽出され、この画像のサイズなどに応じて選択されたテンプレート画像との合成画像が印刷されるので、抽出した画像に適した合成画像で、かつ余分な画像が省かれた満足度の高い合成画像を得ることができる。
【００１７】
請求項２記載の発明は、前記撮影画像は、少なくとも１人の人物が撮影された画像であると共に前記抽出対象領域は前記人物が撮影された領域であり、前記選択手段は、前記人物の人数に基づいて前記テンプレート画像を選択することを特徴とする。
【００１８】
この発明によれば、撮影画像は、少なくとも１人の人物が撮影された画像である。そして、抽出対象領域は人物が撮影された領域である。すなわち、指定手段によって人物が撮影された領域が抽出対象領域として指定される。この指定は、人物の輪郭そのものを指定してもよいし、人物の領域内の特定の位置、例えば頭等の位置を指定するようにしてもよい。抽出手段は、指定手段によって指定された抽出対象領域の画像を撮影画像から抽出する。なお、指定手段によって人物の領域内の特定の位置が指定された場合には、抽出手段は、その特定の位置付近の画像について特徴抽出処理を行い、人物の画像を自動的に抽出する。
【００１９】
そして、選択手段は、抽出した人物の人数に基づいてテンプレート画像を選択する。このため、人物の人数に応じて最適なテンプレート画像が選択される。
【００２０】
そして、生成手段によってテンプレート画像と人物の画像とが合成された合成画像が生成され、印刷手段によって合成画像が印画紙に印刷される。
【００２１】
このように、人物を指定してその画像を抽出し、これをテンプレート画像と合成するので、必要な人物だけを合成することができ、満足度の高い画像を得ることができる。
【００２２】
請求項３記載の発明は、前記撮影画像は、テーマパークにおいて人物が搭乗した状態を撮影した画像であることを特徴とする。
【００２３】
この発明によれば、テーマパークにおいて人物が搭乗した状態を撮影した撮影画像について上記の発明を適用する。このため、テーマパークの顧客に対して満足度の高い画像を提供することが可能となる。
【００２４】
【発明の実施の形態】
以下、図面を参照して本発明の実施の形態の一例について詳細に説明する。なお、本実施の形態は、テーマパークにおける乗り物アトラクションにおいて、顧客が搭乗した状態を自動撮影した撮影画像をプリントするサービスについて本発明を適用したものである。
【００２５】
まず、プリントサービスの概略を説明する。図１には、テーマパークにおける乗り物アトラクションにおいて、撮影からプリントを受け取るまでの流れを概略的に示した。
【００２６】
図１に示すように、テーマパークにおいて、顧客１０が搭乗した乗り物としてのジェットコースター１２が、撮影装置１４が設置された撮影ポイントに差し掛かると、撮影装置１４によりジェットコースター１２全体が自動的に撮影される。
【００２７】
自動撮影された撮影画像は、アトラクションの出口付近に設置された大型ディスプレイ１６に表示される。大型ディスプレイ１６には、撮影順に撮影画像１８が撮影番号と共に表示される。
【００２８】
アトラクションが終了し、ジェットコースター１２から降りた顧客１０は、大型ディスプレイ１６に表示された撮影画像１８の中から自身が撮影された撮影画像を確認し、購入を希望する場合には、販売ブース２０において自身が撮影された撮影画像の撮影番号を告げる。
【００２９】
販売ブース２０には、プリント装置２２が設置されており、このプリント装置２２には、撮影画像の画像データが蓄積されている。店員２４は、所定の操作を行って顧客１０から告げられた撮影番号の撮影画像をモニタ２６に表示させる。
そして、顧客１０に対してプリントしたい人物を指定してもらう。
【００３０】
プリント装置２２は、プリントしたい人物が指定されると、その人物の画像を撮影画像から抽出し、この抽出された画像に基づいてテンプレート画像を選択し、これらを合成したプリント２８を出力する。顧客１０はこのプリントの代金を支払ってプリント２８を受け取る。
【００３１】
このように、プリントしたい人物のみをテンプレート画像と合成するため、余計な部分が印刷されず、顧客にとっては満足度の高いプリントを得ることができる。
【００３２】
次に、プリント装置２２の概略構成について説明する。図２には、プリント装置２２の概略ブロック図を示した。
【００３３】
図２に示すように、プリント装置２２は、制御部３０、入力部３２、操作部３４、表示部３６、記憶部３８、印刷部４０等を含んで構成される。
【００３４】
入力部３２は、撮影装置１４で撮影された撮影画像を取り込むためのインターフェースである。
【００３５】
撮影装置１４は例えばデジタルカメラ及び通信装置等を含んで構成され、入力部３２及び大型ディスプレイ１６とは有線又は無線により接続される。撮影装置１４で撮影された撮影画像の画像データ及び撮影番号は、大型ディスプレイ１６及びプリント装置２２の入力部３２に送信される。
【００３６】
撮影装置１４から送信された撮影画像の画像データ及び撮影番号は、記憶部３８に順次記憶される。
【００３７】
操作部３４は、撮影画像の指定や撮影画像中の人物の指定等の各種指定や各種操作をするためのものであり、キーボードやマウス等を含んで構成される。
【００３８】
表示部３６は、撮影装置１４で撮影された撮影画像及び撮影番号、合成画像、操作結果等を表示する。
【００３９】
記憶部３８は、撮影装置１４で撮影された撮影画像やサイズが異なる複数のテンプレート画像等が記憶される。図３（Ａ）〜（Ｃ）には、テンプレート画像４２の一例を示した。テンプレート画像４２は、例えば図３（Ａ）〜（Ｃ）に示すように、プリント対象の人物の人数に応じて設けられ、例えば予め定めたオブジェクト４４の画像を含んでいる。このオブジェクト４４は、例えばテーマパークやアトラクションに関連するキャラクターや建物等が含まれる。また、プリントする人数によって人物の画像の面積は変わるため、テンプレート画像４２は、そのサイズやアスペクト比が各々異なっている。また、テンプレート画像４２に含まれる画像の種類や大きさ、位置等は各々のテンプレート画像で異なっていてもよい。
【００４０】
印刷部４０は、印画紙にテンプレート画像と人物の画像との合成画像を焼き付け露光する露光装置や合成画像が焼き付けられた印画紙を現像処理する現像装置等を含んで構成される。
【００４１】
制御部３０は、各部を統括制御すると共に、撮影画像から指定された人物の画像を抽出する処理や、抽出した画像とテンプレート画像との合成画像を生成する処理等を行う。
【００４２】
なお、制御部３０は本発明の選択手段、抽出手段、及び生成手段に相当し、入力部３２は本発明の入力手段に相当し、操作部３４は本発明の指定手段に相当し、表示部３６は本発明の表示手段に相当し、印刷部４０は本発明の記録手段に相当する。
【００４３】
次に、本実施の形態の作用として、制御部３０で実行される制御ルーチンについて、図４に示すフローチャートを参照して説明する。なお、図４に示す制御ルーチンは、所定時間毎に実行される。
【００４４】
まず、ステップ１００において、撮影装置１４からの撮影画像の画像データ及び撮影番号を入力部３２が受信したか否かを判断する。そして、撮影装置１４による撮影が行われ、撮影画像の画像データ及び撮影番号を受信した場合には、ステップ１０２へ移行し、撮影装置１４による撮影が行われておらず、撮影画像の画像データ及び撮影番号を受信していない場合には、ステップ１０４へ移行する。
【００４５】
ステップ１０２では、受信した撮影画像の画像データ及び撮影番号を記憶部３８に記憶する。
【００４６】
ステップ１０４では、店員２４が操作部３４を操作することにより撮影番号が入力されたか否かが判断される。そして、プリント購入を希望する顧客１０により撮影番号が店員２４に告げられ、撮影番号が入力された場合には、ステップ１０６へ移行し、撮影番号が入力されていない場合には、本ルーチンを終了する。
【００４７】
ステップ１０６では、入力された撮影番号に対応する撮影画像の画像データを記憶部３８から読み出し、表示部３６へ表示させる。
【００４８】
次のステップ１０８では、店員２４の操作により表示部３６に表示された撮影画像の中から抽出したい人物、すなわちプリント対象の人物が指定されたか否かが判断される。そして、顧客１０により抽出したい人物が指定され、店員２４により操作部３４が操作されて抽出したい人物が指定された場合には、ステップ１１０へ移行し、人物が指定されていない場合には、人物が指定されるまで待機する。
【００４９】
ステップ１１０では、指定された人物の画像を撮影画像から抽出し、抽出した画像データを記憶部３８に一時的に記憶する。このとき、人物の輪郭が指定された場合には、その輪郭に沿って画像を抽出すればよい。また、人物の一部（例えば頭等）を指定された場合には、その位置付近の画像について人物についての特徴抽出処理を行い、人物の画像を自動的に抽出する。
【００５０】
次のステップ１１２では、抽出した人物の人数を判定する。これは、抽出したい人物の指定において人物の輪郭が指定され、その輪郭通りに人物の画像が抽出された場合には、その抽出した画像から特徴抽出処理を行い、人物の人数を判定する。また、人物の一部が指定された場合には、指定された回数をもって人数と判定することができる。
【００５１】
そして、ステップ１１４において、判定された人数に従ってテンプレート画像が選択される。すなわち、判定された人数が２人ならば図３（Ａ）に示すようなテンプレート画像４２が選択され、判定された人数が３人ならば図３（Ｂ）に示すようなテンプレート画像４２が選択され、判定された人数が４人ならば図３（Ｃ）に示すようなテンプレート画像４２が選択される。
【００５２】
ステップ１１６では、選択されたテンプレート画像４２と抽出された人物の画像とを合成する。すなわち、判定された人数が２人ならば、図５に示すように、オブジェクト４４を含むテンプレート画像４２と抽出された人物の画像４６とが合成された合成画像が生成される。また、判定された人数が３人ならば、図６に示すように、オブジェクト４４を含むテンプレート画像４２と抽出された人物の画像４６とが合成された合成画像が生成される。判定された人数が４人ならば、図７に示すように、オブジェクト４４を含むテンプレート画像４２と抽出された人物の画像４６とが合成された合成画像が生成される。
【００５３】
ステップ１１８では、生成した合成画像を印刷部４０へ出力する。これにより、印刷部４０では、合成画像を印画紙に焼き付け露光し、合成画像が焼き付けられた印画紙に対して現像処理等を施すことにより、合成画像のプリント２８が作製される。
【００５４】
このように、乗り物アトラクションにおいて自動撮影した撮影画像から所望の人物の画像のみを抽出し、これとテンプレート画像４２とを合成するので、余分な人物が省かれたプリントを得ることができ、顧客にとって満足度の高いプリントを得ることができる。
【００５５】
また、テンプレート画像は、プリントする人物の数に応じて予め用意され、撮影画像から抽出した人物の数に応じて自動的に選択されるので、合成する人物の数に応じた最適な合成画像を簡単かつ速やかに得ることができる。
【００５６】
なお、本実施の形態では、人物の輪郭通りに画像を抽出して合成する場合について説明したが、これに限らず、指定された人物を含む予め定めた形状の領域、例えば矩形状の領域や楕円状の領域等の画像を抽出してもよい。
【００５７】
また、本実施の形態では、テーマパークのアトラクションで自動撮影された撮影画像に本発明を適用した場合について説明したが、これに限らず、他で撮影された撮影画像に本発明を適用してもよい。
【００５８】
さらに、本実施の形態では、合成対象の画像が人物の画像の場合について説明したが、これに限らず、合成対象の画像が人物以外の画像でもよい。
【００５９】
【発明の効果】
以上説明したように、本発明によれば、顧客のニーズに応じた満足度の高い画像を提供することができる、という優れた効果を有する。
【図面の簡単な説明】
【図１】プリントサービスの概略的な流れを示すイメージ図である。
【図２】プリント装置の概略ブロック図である。
【図３】（Ａ）〜（Ｃ）は、テンプレート画像の一例を示すイメージ図である。
【図４】制御部で実行される制御ルーチンのフローチャートである。
【図５】合成画像の一例を示すイメージ図である。
【図６】合成画像の一例を示すイメージ図である。
【図７】合成画像の一例を示すイメージ図である。
【符号の説明】
１０  顧客
１２  ジェットコースター
１４  撮影装置
１６  大型ディスプレイ
１８  撮影画像
２０  販売ブース
２２  プリント装置
２４  店員
２６  モニタ
２８  プリント
３０  制御部
３２  入力部
３４  操作部
３６  表示部
３８  記憶部
４０  印刷部
【図１】
2004228637.tif 000003
【図２】
2004228637.tif 000004
【図３】
2004228637.tif 000005
【図４】
2004228637.tif 000006
【図５】
2004228637.tif 000007
【図６】
2004228637.tif 000008
【図７】
2004228637.tif 000009